(57)【要約】【課題】  ローダ基板をディスクローダと共にユニット化したままメイン基板に搭載して実用に供することや、ローダ基板をディスクローダから分離して両者を並べてメイン基板に搭載したりすることを、必要に応じて選択することを可能にする。【解決手段】  ディスクローダ３とローダ基板４とメイン基板２とを備える。メイン基板２に対するディスクローダ３の搭載箇所の周囲の少なくとも１箇所にローダ基板４を搭載可能なスペースを確保する。ローダ基板４をディスクローダ３の外枠フレーム３１上で位置決めするための第１位置決め突起３６及び第２位置決め突起３７を備える。ローダ基板４の外縁部を外枠フレーム３１側の座面３５と係止爪３８とにより離脱可能に挟持させ、ローダ基板４の外縁部の１箇所をビス止めする。【選択図】        図１
2007317274.tif 000002
【特許請求の範囲】
【請求項１】
記録媒体としてのディスクを光学的に処理するディスクローダと、このディスクローダの動作を電気的に制御することに用いられるローダ基板と、上記ディスクローダが搭載されるメイン基板とを備えるディスク装置において、
メイン基板に対するディスクローダの搭載箇所の周囲の少なくとも１箇所に、ディスクローダの外枠フレームの平面サイズよりも小サイズの上記ローダ基板を搭載可能なスペースが確保されていると共に、上記ローダ基板を上記外枠フレーム上で位置決めするための位置決め手段を備えていて、その位置決め手段が、上記外枠フレームに設けられて上記ローダ基板の外端面に当接する第１位置決め突起と、上記外枠フレームに設けられて上記ローダ基板の位置決め孔に嵌合する第２位置決め突起とでなり、
上記ローダ基板の外縁部が上記外枠フレームの複数箇所に具備された座面とその外枠フレームの１箇所に具備された係止爪とにより離脱可能に挟持され、かつ、そのローダ基板の外縁部の１箇所が複数箇所の上記座面のうちの１つの座面との重なり箇所で上記外枠フレームに離脱可能にビス止めされていて、外枠フレームに対するローダ基板のビス止め箇所とローダ基板に対する上記係止爪の係合箇所とが、矩形の当該ローダ基板の対角方向に並んでいることを特徴とするディスク装置。
【請求項２】
記録媒体としてのディスクを光学的に処理するディスクローダと、このディスクローダの動作を電気的に制御することに用いられるローダ基板と、上記ディスクローダが搭載されるメイン基板とを備えるディスク装置において、
メイン基板に対するディスクローダの搭載箇所の周囲の少なくとも１箇所に、ディスクローダの外枠フレームの平面サイズよりも小サイズの上記ローダ基板を搭載可能なスペースが確保されていると共に、上記ローダ基板の外縁部が上記外枠フレームの複数箇所に具備された座面とその外枠フレームの１箇所に具備された係止爪とにより離脱可能に挟持され、かつ、そのローダ基板の外縁部の１箇所が複数箇所の上記座面のうちの１つに重ね合わされてその重なり箇所で上記外枠フレームにビス止めされていることを特徴とするディスク装置。
【請求項３】
外枠フレームに対するローダ基板のビス止め箇所とローダ基板に対する上記係止爪の係合箇所とが、矩形の当該ローダ基板の対角方向に並んでいる請求項２に記載したディスク装置。
【請求項４】
上記ローダ基板がその表裏両面に回路パターンを備える両面基板でなり、上記ローダ基板と上記外枠フレームに取り付けられた中継基板、及び、上記ローダ基板と上記メイン基板とが、それぞれ個別のフラットケーブルによって電気的に接続されていて、それらのフラットケーブルは、上記外枠フレームから取り外した上記ローダ基板を表裏反転させてその表裏両面を検査するのに十分な長さを有している請求項２又は請求項３に記載したディスク装置。
【発明の詳細な説明】
【技術分野】
【０００１】
本発明は、ディスク装置、特に、ディスクローダの動作を電気的に制御することに用いられるローダ基板をディスクローダに一体化して両者のユニット化を図ることと共に、そのローダ基板を必要に応じてディスクローダから分離してそのレイアウトの自由度を高めることができるような対策を講じたディスク装置に関する。
【背景技術】
【０００２】
図７は従来のディスク装置を説明的に示した概略平面図であり、このディスク装置では、偏平箱形の筐体１の内部に、サイズの大きなメイン基板２が配備されていて、そのメイン基板２にＤＶＤドライブなどのディスクローダ３が搭載されていると共に、そのディスクローダ３の後側の１箇所に確保されたスペースに、ディスクローダ３の動作を電気的に制御することに用いられるサイズの小さな矩形のローダ基板４が配備されている。このディスク装置において、メイン基板２には電源回路その他の必要な回路が搭載されている。また、ディスクローダ３は、記録媒体としてのディスクを光学的に処理する機能を有していて、ディスクローダ３に対してローディングされたディスクの記録面を走査する光ピックアップやディスクローディング機構、ディスクチャッキング機構など（いずれも不図示）を備えていて、それらの機構の駆動回路とローダ基板４との相互間での電気信号の授受が、ローダ基板４から延び出た複数本のフラットケーブル５１，５２，５３や中継基板６などを介して行われるようになっている。
【０００３】
ところで、図７に示したようなディスク装置では、諸般の事情により、その組立工程を幾つかの段階に分けてそれぞれの段階の組立工程を別々の工場で行う場合があり得る。たとえばディスクローダ３にローダ基板４をフラットケーブル５１，５２，５３を介して連結するという組立工程（前者）と、ディスクローダ３及びローダ基板４を筐体１内に配備したメイン基板２に搭載するための組立工程（後者）とを別々の場所にある工場で行うときには、前者の組立工程でディスクローダ３とメイン基板２とを一体的に取り扱えるようにするためにユニット化した上で、そのユニットを後者の組立工程に搬入することが、ディスクローダ３やメイン基板２を取り扱う上で有利であることが判っている。
【０００４】
そこで、従来は、前者の組立工程で図７に仮想線で示したようにローダ基板４をディスクローダ３の外枠フレーム３１の上に１箇所でのビス止めにより仮固定したものをユニットとした後、そのユニットを後者の組立工程に搬入し、この組立工程でディスクローダ３の外枠フレーム３１からローダ基板４を取り外して分離するという作業を行った後、ディスクローダ３やローダ基板４をメイン基板２上にあらかじめ確保されているスペースに実線で示したようにそれぞれ搭載するということを行っていた。
【０００５】
一方、従来より、ディスク装置一体型テレビジョンにおいては、ディスク装置としのてディスクローダにディスク装置用の基板の２箇所を２本のビスで固定し、かつ、その基板の一端を、ディスクローダを搭載しているメイン基板から立ち上げた中継基板によって支持させることが行われていた（たとえば、特許文献１参照）。
【０００６】
また、ディスク装置のローダシャーシに遮蔽板を取り付け、その遮蔽板に具備させたフック部を利用してフラットケーブルの線処理を行うこと（たとえば、特許文献２参照）、ローダとメイン基板とホルダーとをユニット化すること（たとえば、特許文献３参照）、ＤＶＤなどの記録再生装置を搭載した液晶テレビジョン装置の小型化を図ることを目的として、記録再生装置と配線基板とを液晶パネルユニットの背面に並べて取り付けること（たとえば、特許文献４参照）、なども行われていた。
【特許文献１】実用新案登録第３１２００３５号公報（図３）
【特許文献２】特開２００５−３３２５３６号公報
【特許文献３】実用新案登録第３１０８５８６号公報
【特許文献４】特開２００５−２９５１４６号公報
【発明の開示】
【発明が解決しようとする課題】
【０００７】
しかしながら、図７を参照して説明した従来のディスク装置では、前者の工場出荷段階でディスクローダ３とローダ基板４とが一体的にユニット化されていたとしても、後者の組立工程でそのユニットをそのままメイン基板に搭載するということは予定されていない。そのために、ユニットからローダ基板４を分離する便宜のために１本のビスでローダ基板４の１箇所だけをディスクローダ３に仮固定していたに過ぎない。したがって、後者の組立工程では、ユニットから分離したローダ基板４をディスクローダ３と並べてメイン基板２に搭載するということが必ず行われていた。
【０００８】
この点に関し、上掲の特許文献１に見られるように、当初よりディスクローダ３の上面にローダ基板４を取り付けてなるユニットをそのままメイン基板２に搭載することが有益であるようにも考えられ、そのようにすると、ユニットからローダ基板４を分離せずにそのユニットをそのままメイン基板２に搭載することができるだけでなく、必要に応じてローダ基板４をユニットから分離して図７に示したようなレイアウトでディスクローダ３とローダ基板４とをメイン基板２に搭載することも可能になるという利便性がある。
【０００９】
しかしながら、図７を参照して説明した従来のディスク装置では、ディスクローダ３とローダ基板４とのユニットにおいて、ローダ基板４はその１箇所だけがディスクローダ３にビス止めされた不安定な仮固定状態でディスクローダに取り付けられているだけであるので、ユニットをそのままメイン基板２に搭載すると、ディスク装置の実働時の振動でローダ基板４が損傷してしまうおそれが生じて実用に供することが不可能である。また、ディスクローダ３とその上に積み上げられているローダ基板４とのユニットが、筐体１の内部空間の高さとの関係でその筐体１の内部に納まりきらないこともあり、その場合には、ディスクローダ３にローダ基板４を一体化したユニットをメイン基板２に搭載することは不可能になる。
【００１０】
本発明は、以上の状況や問題に鑑みてなされたものであり、上記のようにローダ基板をディスクローダと共にユニット化したままメイン基板に搭載して実用に供することや、ローダ基板をディスクローダから分離して両者を並べてメイン基板に搭載したりすることを、必要に応じて選択することが可能になって筐体内でのディスクローダやローダ基板のレイアウトの自由度を高めることのできるディスク装置を提供することを目的とする。
【００１１】
また、本発明は、ディスクローダとローダ基板とのユニットからローダ基板を分離して図７に示したようなレイアウトでディスクローダとローダ基板とをメイン基板に並べて搭載することが要求されるときには、１本のビスを取り外すだけでローダ基板をディスクローダから分離することが可能であるにもかかわらず、上記ユニットをそのままメイン基板に搭載して実用に供したとしても、ディスクローダに対するローダ基板の取付け安定性が保たれてそのローダ基板が振動などによって損傷するおそれのないディスク装置を提供することを目的とする。
【課題を解決するための手段】
【００１２】
本発明に係るディスク装置は、記録媒体としてのディスクを光学的に処理するディスクローダと、このディスクローダの動作を電気的に制御することに用いられるローダ基板と、上記ディスクローダが搭載されるメイン基板とを備えている。そして、メイン基板に対するディスクローダの搭載箇所の周囲の少なくとも１箇所に、ディスクローダの外枠フレームの平面サイズよりも小サイズの上記ローダ基板を搭載可能なスペースが確保されていると共に、上記ローダ基板の外縁部が上記外枠フレームの複数箇所に具備された座面とその外枠フレームの１箇所に具備された係止爪とにより離脱可能に挟持され、かつ、そのローダ基板の外縁部の１箇所が複数箇所の上記座面のうちの１つに重ね合わされてその重なり箇所で上記外枠フレームにビス止めされている。
【００１３】
この構成であると、ディスクローダの外枠フレームに対するローダ基板の取付け箇所では、ローダ基板の１箇所だけが外枠フレームにビス止めされているに過ぎないとしても、他の１箇所に係合している係止爪と複数箇所の座面とによってそのローダ基板の外縁部が離脱可能に挟持されているために、ディスクローダとローダ基板とがユニット化され、しかも、ビス止めだけによってローダ基板がディスクローダに取り付けられているものに比べて、ディスクローダに対するローダ基板の取付け安定性が高められる。そのため、ディスクローダとローダ基板とのユニットをそのままメイン基板に搭載して実用に供したとしても、ローダ基板が振動などによって損傷したりするおそれがなくなる。また、筐体内空間の高さなどとの関係で上記ユニットを筐体内に納めることができない場合には、１箇所のビスを取り外すだけでディスクローダからローダ基板を迅速に作業性よく分離することができる。そのため、分離したローダ基板をメイン基板に確保されているスペースに搭載することによって、そのローダ基板をディスクローダに並べてメイン基板に搭載することが可能になる。したがって、筐体内でのディスクローダやローダ基板のレイアウトの自由度が高まる。
【００１４】
本発明では、外枠フレームに対するローダ基板のビス止め箇所とローダ基板に対する上記係止爪の係合箇所とが、矩形の当該ローダ基板の対角方向に並んでいることが望ましい。この構成であると、ディスクローダに対するローダ基板のビス止め箇所が１箇所だけであり、ローダ基板に対する係止爪の係合箇所が１箇所だけであるとしても、ディスクローダに対するローダ基板の高い取付け安定性が得られて耐振性能が耐振性が改善される。
【００１５】
本発明では、上記ローダ基板がその表裏両面に回路パターンを備える両面基板でなり、上記ローダ基板と上記外枠フレームに取り付けられた中継基板、及び、上記ローダ基板と上記メイン基板とが、それぞれ個別のフラットケーブルによって電気的に接続されていて、それらのフラットケーブルは、上記外枠フレームから取り外した上記ローダ基板を表裏反転させてその表裏両面を検査するのに十分な長さを有している、という構成を採用することが可能である。この構成を採用しておくと、ディスクローダとローダ基板とのユニットをそのままメイン基板に搭載したり、そのユニットからローダ基板を分離して両者を並べてメイン基板に搭載したりする作業に先立って、フラットケーブルを取り外さずにローダ基板の表裏両面を容易に検査することが可能になるという利便性がある。
【００１６】
本発明に係るディスク装置は、記録媒体としてのディスクを光学的に処理するディスクローダと、このディスクローダの動作を電気的に制御することに用いられるローダ基板と、上記ディスクローダが搭載されるメイン基板とを備えるディスク装置において、メイン基板に対するディスクローダの搭載箇所の周囲の少なくとも１箇所に、ディスクローダの外枠フレームの平面サイズよりも小サイズの上記ローダ基板を搭載可能なスペースが確保されていると共に、上記ローダ基板を上記外枠フレーム上で位置決めするための位置決め手段を備えていて、その位置決め手段が、上記外枠フレームに設けられて上記ローダ基板の外端面に当接する第１位置決め突起と、上記外枠フレームに設けられて上記ローダ基板の位置決め孔に嵌合する第２位置決め突起とでなり、上記ローダ基板の外縁部が上記外枠フレームの複数箇所に具備された座面とその外枠フレームの１箇所に具備された係止爪とにより離脱可能に挟持され、かつ、そのローダ基板の外縁部の１箇所が複数箇所の上記座面のうちの１つの座面との重なり箇所で上記外枠フレームに離脱可能にビス止めされていて、外枠フレームに対するローダ基板のビス止め箇所とローダ基板に対する上記係止爪の係合箇所とが、矩形の当該ローダ基板の対角方向に並んでいる、という構成を採用することによっていっそう具体化される。この発明の作用などについては後述する実施形態を参照して説明する。
【発明の効果】
【００１７】
以上のように、本発明に係るディスク装置によれば、図７に示したようなレイアウトでディスクローダとローダ基板とをメイン基板に並べて搭載することが要求されるときには、１本のビスを取り外すだけでディスクローダとローダ基板とが一体化されているユニットからローダ基板を迅速にかつ作業性よく分離することが可能であるので、そうすることによってディスクローダとローダ基板とを並べてメイン基板に作業性よく搭載することが可能である。それにもかかわらず、上記ユニットをそのままメイン基板に搭載して実用に供したとしても、ビスによる固定作用に加え、座面と係止爪との挟持作用によってローダ基板がディスクローダの外枠フレームに強固に取り付けられているために、ローダ基板に要求される高い取付け安定性が確保されてそのローダ基板が振動などによって損傷するおそれがないという効果が奏される。したがって、ディスクローダとローダ基板とを上記したようなユニットとして実用に供することの要請や、それらを分離してメイン基板に並べて搭載することの要請のいずれにも必要に応じて対処できるようになってディスクローダ及びローダ基板のレイアウトの自由度が向上するという利点がある。
【００１８】
また、フラットケーブルの長さを、両面基板でなるローダ基板の表裏を反転させ得る程度に長く定めておくと、ディスクローダの外枠フレームから取り外したローダ基板を表裏反転させてその表裏両面を検査するときにフラットケーブルをいちいち取り外す必要がないという利点が得られる。
【発明を実施するための最良の形態】
【００１９】
図１は本発明に係るディスク装置を説明的に示した概略平面図である。図１のディスク装置では、偏平箱形の筐体１の内部に、サイズの大きなメイン基板２が配備されていて、そのメイン基板２にＤＶＤドライブなどのディスクローダ３が搭載されているという点で、図７を参照して説明した従来例と同様である。しかし、このディスク装置では、ディスクローダ３の動作を電気的に制御することに用いられるサイズの小さな矩形のローダ基板４がディスクローダ３の外枠フレーム３１に装備されているという点で上記従来例と相違している。
【００２０】
冒頭で説明したように、このディスク装置では、メイン基板２に電源回路その他の必要な回路が搭載されている。また、ディスクローダ３は、記録媒体としてのディスクを光学的に処理する機能を有していて、ディスクローダ３に対してローディングされたディスクの記録面を走査する光ピックアップやディスクローディング機構、ディスクチャッキング機構など（いずれも不図示）を備えていて、それらの機構の駆動回路とローダ基板４との相互間での電気信号の授受が、ローダ基板４から延び出た複数本のフラットケーブル５１，５２，５３，５４や中継基板６などを介して行われるようになっている。
【００２１】
図２はディスクローダ３の外枠フレーム３１を拡大して示した要部概略平面図、図３は座面３５と係止爪３８とによるローダ基板４の挟持状態を示した概略断面図、図４はビス止め箇所の概略断面図、図５は第２位置決め突起３７によるローダ基板４の位置決め状態を示した概略断面図、図６は座面３５と第１位置決め突起３６とを示した部分斜視図である。
【００２２】
図２に示した外枠フレーム３１は樹脂成形体であって、その下板部３２の１箇所に突設されたねじ孔３３を有するボス３４のほか、下板部３２や外縁の複数箇所に振り分けて配備された同一高さの座面３５…、複数箇所に振り分けて配備された第１位置決め突起３６…、１箇所に設けられた第２位置決め突起３７、１箇所に設けられた係止爪３８、などを一体に備えている。
【００２３】
これに対し、図１又は図２に仮想線で示したように、ローダ基板４は、平面視矩形であって、その表裏両面に回路パターンが形成されたりＩＣなどの電気電子部品か実装されている所謂両面基板でなる。そして、このローダ基板４の４つの辺部のうちの１つの辺部４１でその外縁部を図３のように係止爪３８に差し込み、図２に示した複数箇所の上記座面３５にそのローダ基板４の外縁部を重ね合わせ、ローダ基板４の相隣接する２つの辺部４２，４３でその外端面の複数箇所を上記したそれぞれの第１位置決め突起３６…に突き合わせて当接させ、図５のようにローダ基板４に形成されている位置決め孔４４に上記第２位置決め突起３７を嵌め込むことにより、図４のようにローダ基板４に形成されているビス挿通孔４５が上記ボス３４のねじ孔３３に位置合わせされるようになっている。したがって、図４のように、ローダ基板４のビス挿通孔４５に挿通させた取付けビス７をボス３４のねじ孔３３にねじ込んで締め付けることによって、ローダ基板４が外枠フレーム３１に固定される。
【００２４】
この実施形態において、複数箇所の上記第１位置決め突起３６…は、ローダ基板４の相隣接する２つの辺部４２，４３に互いに直交する方向から当接するように位置していて、取付けビス７によるビス止め前には、これらの第１位置決め突起３６…によってローダ基板４が互いに直交する水平な２軸方向（ローダ基板４の縦方向及び横方向）で位置決めされるようになっているために、取付けビス７をボス３４のねじ孔３３にねじ込む作業を行いやすくなるという利点がある。また、複数箇所の座面３５は、それぞれが同一高さに定められているために、それらの座面３５に外縁部の複数箇所が載架されているローダ基板４ががたつきなく水平に姿勢保持される。さらに、図３のように、係止爪３８はその近傍箇所に位置している１つの座面３５との間でローダ基板４の外縁部を挟持する作用を発揮する。しかも、この係止爪３８は、ローダ基板４の対角方向で上記したボス３４と並んでいる。そのため、係止爪３８と座面３５とによってローダ基板４の外縁部を挟持させた上で、取付けビス７によってローダ基板４を外枠フレーム３１にビス止めすると、ローダ基板４が１本の取付けビス７と１つの係止爪３８とによって対角方向で外枠フレーム３１に固定される。それらの結果、１本の取付けビス７を用いた取付け構造であるにもかかわらず、外枠フレーム３１に対するローダ基板４の取付け安定性が向上したものとなる。
【００２５】
図６に示したように、この実施形態では、ローダ基板４を互いに直交する水平な２軸方向で位置決めしている第１位置決め突起３６は、ローダ基板４の外縁部が載架されている座面３５から上向きに突設されている。この構成を採用すると、第１位置決め突起３６と座面３５とを別々の場所に設ける場合に比べて成形金型の形状が単純化されてその製作コストや成形コストを安く抑えられることが判った。
【００２６】
ディスクローダ３の外枠フレーム３１に上記構成を採用して取り付けられたローダ基板４は、そのディスクローダ３と一体化されて両者をユニットとして取り扱うことができるようになる。そして、このユニットは、図１のようにそのまま筐体１内に配備されているメイン基板２に搭載して実用に供することが可能である。すなわち、このユニットでは、ローダ基板４の１箇所だけがディスクローダ３の外枠フレーム３１にビス止めされているに過ぎないとしても、そのビス止め箇所に対角方向で並んでいる他の１箇所でローダ基板４の外縁部が係止爪３８と座面３５とによって挟持されているために、ディスクローダ３に対するローダ基板４の取付け安定性が高められている。そのため、図１のようにディスクローダ３とローダ基板４とのユニットをそのままメイン基板２に搭載して実用に供したとしても、ローダ基板４が振動などによって損傷したりするおそれがない。
【００２７】
ところで、ＤＶＤドライブのようなディスク装置では、図１のように、電源回路などを備えるメイン基板２がディスク装置やローダ基板４のサイズに比べて大きくなっていて、その筐体１の外観形状は偏平な箱形であることが多い。そのため、メイン基板２には、ディスクローダ３の搭載箇所の周囲の少なくとも１箇所、たとえば、ディスクローダ３の孔部や側部に上記ローダ基板４を搭載可能なスペースを確保し、そのスペースにローダ基板４を搭載することもあり得る。このようにローダ基板４をディスクローダ３から分離してメイン基板３上でそのディスクローダ３に並べるというレイアウトは、上記したユニットの高さが筐体１の内部空間の高さよりも高い場合に採用する利点がある。
【００２８】
そして、そのようにローダ基板４をディスクローダ３から分離してメイン基板３上でそのディスクローダ３に並べるというレイアウトを採用するときには、ディスクローダ３にローダ基板４を固定している１本の取付けビス７を取り外して、そのローダ基板４を係止爪３８から引き抜くことによってディスクローダ３から分離し、ディスクローダ３とローダ基板４とを前後に並べてメイン基板２に搭載するという組立工程を経て行われる。したがって、この実施形態では、ディスクローダ３とローダ基板４とをユニットとしてそのままメイン基板２に搭載して実用に供することが可能であることは勿論、必要があれば、ディスクローダ２からローダ基板４を分離して両者を並べてメイン基板２に搭載することも可能になって、レイアウト面での高い自由度が確保される。
【００２９】
また、図１に示したそれぞれのフラットケーブル５１〜５４を長く引き廻しておくと、両面基板でなるローダ基板４を反転させてその表裏両面の検査を行うことが可能になり、その場合でも、１本の取付けビス７をねじ孔３３にねじ込んだりねじ孔３３から取り外したりするという簡単な作業でローダ基板４をディスクローダ３に固定したりディスクローダ３から取り外したりすることが可能になるという利点がある。
【図面の簡単な説明】
【００３０】
【図１】本発明に係るディスク装置を説明的に示した概略平面図である。
【図２】ディスクローダの外枠フレームを拡大して示した要部概略平面図である。
【図３】座面と係止爪とによるローダ基板の挟持状態を示した概略断面図である。
【図４】ビス止め箇所の概略断面図である。
【図５】第２位置決め突起によるローダ基板の位置決め状態を示した概略断面図である。
【図６】座面と第１位置決め突起とを示した部分斜視図である。
【図７】従来のディスク装置を説明的に示した概略平面図である。
【符号の説明】
【００３１】
２  メイン基板
３  ディスクローダ
４  ローダ基板
７  取付けビス
３１  外枠フレーム
３５  座面
３６  第１位置決め突起（位置決め手段）
３７  第２位置決め突起（位置決め手段）
３８  係止爪
５１〜５４  フラットケーブル
【図１】
2007317274.tif 000003
【図２】
2007317274.tif 000004
【図３】
2007317274.tif 000005
【図４】
2007317274.tif 000006
【図５】
2007317274.tif 000007
【図６】
2007317274.tif 000008
【図７】
2007317274.tif 000009